(57)【要約】【課題】感染した又は感染が疑われる患者から医師を確実に保護できる簡易的な診療ブースを提供する。【解決手段】周壁部に設けられたれた出入り口を開閉可能に閉じる膜が天井部から懸架して設けられ、患者用の椅子が配置され、陰圧を保持される診療空間を室内に区画する包囲体を含む診療ブース。前記膜に面して椅子に着座した患者が診療空間外の医師から前記膜を隔てて診療を受けることを可能とすべく、該膜の下端は室の床から間隔をおく。前記膜には、その下端から約１０ｃｍの間隔をおく高さ位置に目印が付されている。椅子に座った患者の口元の高さ位置が前記膜の目印の高さ位置より上方に位置するように、両者の相対位置関係が調整される。【選択図】図１
2010252965.tif 000002
【特許請求の範囲】
【請求項１】
天井部及び周壁部を有し、前記周壁部に出入り口及が設けられまた該出入り口を開閉可能に閉じる透明又は半透明の膜が前記天井部から懸架して設けられ、患者用の椅子が配置される診療空間を室内に区画する包囲体と、前記診療空間を陰圧に保持するためのファン装置とを含み、
前記膜に面して前記椅子に着座した患者が前記診療空間外の医師から前記膜を隔てて診療を受けることを可能とすべく、前記膜の下端は前記室の床から間隔をおき、前記膜には、前記下端から前記天井部の方向へ少なくとも所定の間隔をおく高さ位置に目印が付されており、前記目印は、前記空間内で前記膜へ向けて前記椅子に座った患者の口元の高さ位置との比較に使用される、診療ブース。
【請求項２】
前記所定の間隔は、１０ｃｍである、請求項１に記載の診療ブース。
【請求項３】
前記目印は、前記膜の前記下端となる下縁から約１０ｃｍの単一の高さ位置に設けられ、前記膜は、その下縁の高さ位置が調整可能であり、巻取装置を介して巻き上げ及び巻き下げ可能に懸架されている、請求項２に記載の診療ブース。
【請求項４】
前記膜には、該膜の下縁から間隔を置いて少なくとも２以上の異なる高さ位置に前記目印が付されており、前記膜にはその下縁から所定の巻き上げ量で巻き上げ又は巻き下げ状態を保持する手段が設けられている、請求項２に記載の診療ブース。
【請求項５】
前記保持手段は、前記膜に設けられる面ファスナであり、該面ファスナは前記膜の一方の面に該膜の下縁から上方へ向けて帯状に設けられ、フック部が設けられた第１の係合面と、前記膜の他方の面に前記第１の係合面に対応して設けられ前記フック部に解除可能に係合するループ部が設けられた第２の係合面とを備える、請求項４に記載の診療ブース。
【請求項６】
前記膜は自重で自由懸架状態に保持されており、該膜の前記下端から前記所定の間隔を置いて単一の高さ位置に前記目印が付されており、前記椅子はその座面が高さ調整可能である、請求項１に記載の診療ブース。
【請求項７】
前記目印は前記膜の幅方向に沿って伸長する基準線である、請求項３から６のいずれか一項に記載の診療ブース。
【請求項８】
前記膜の下端直下の空気速度について、前記下端と直交し前記ブース内に向かう水平速度成分が３０ｃｍ／秒以上に設定されている、請求項２に記載の診療ブース。
【請求項９】
前記ファン装置は、ＨＥＰＡフィルタを有し、前記診療空間に陰圧を作用させるべく該ＨＥＰＡフィルタを通して、前記診療空間内の空気を吸引する請求項３２に記載の診療ブース。
【発明の詳細な説明】
【技術分野】
【０００１】
本発明は、患者の咳やくしゃみに伴って患者から放出される浮遊菌や浮遊ウイルスから医師を保護することを目的として、医療機関、介護福祉施設及び歯科診療施設等に設置される診療ブースに関する。
【背景技術】
【０００２】
感染した又は感染が疑われる患者を収容する病室用空調システムが提案されている（例えば、特許文献１参照）。また、インフルエンザウイルスやＳＡＲＳウイルスを捕捉消滅する空気浄化方法や装置が提案されている（例えば、特許文献２参照）。さらに、化学物質過敏症の診察用ブースが提案されている（例えば、特許文献３参照）。
【０００３】
これらによれば、患者の咳やくしゃみに伴って排出される浮遊菌や浮遊ウイルスによる院内汚染を防止することができる。しかし、患者に直接向き合って診察、治療を施す医師を患者の浮遊菌や浮遊ウイルスから保護することはできない。
【０００４】
また、椅子に着座した医師に正対して着座する患者の背後に、ＨＥＰＡフィルタが組み込まれたクリーンパーティションを配置して、患者の背後からほぼ水平方向へ空気を吸引することが提案されている（例えば、非特許文献１参照）。この空気流により、着座した患者が正対する医師の顔に向けて咳をしない限り、この咳が正対する医師の口元に直接届くことを防止することができる。
【０００５】
しかし、医師に向き合う患者が正対する医師の顔へ向けて咳をしたとき、この患者から放出される浮遊菌や浮遊ウイルスから医師を確実に保護することはできない。
【先行技術文献】
【特許文献】
【０００６】
【特許文献１】特開２０００−２５７９０８号公報
【特許文献２】特開２００５−６４８号公報
【特許文献３】特開２００５−２３００３５号公報
【非特許文献】
【０００７】
【非特許文献１】「重症急性呼吸器症候群（ＳＡＲＳ）に関する参考資料」、第２頁、ｂ）図、[online] ２００６年１月７日、日本エアーテック株式会社、[平成21年3月13日検索]、インターネット〈http://www.airtech.co.jp/frame_products03.htm〉
【発明の概要】
【発明が解決しようとする課題】
【０００８】
そこで、本発明の目的は、感染した又は感染が疑われる患者から医師を確実に保護できる簡易的な診療ブースを提供することにある。
【課題を解決するための手段】
【０００９】
本発明に係る診療ブースは、天井部及び周壁部を有し、前記周壁部に出入り口及が設けられまた該出入り口を開閉可能に閉じる透明又は半透明の膜が前記天井部から懸架して設けられ、患者用の椅子が配置される診療空間を室内に区画する包囲体と、前記診療空間を陰圧に保持するためのファン装置とを含み、前記膜には、その下端から前記天井部の方向へ少なくとも所定の間隔をおく高さ位置に目印が付されていることを特徴とする。
【００１０】
本発明に係る診療ブースでは、前記包囲体により区画される診療空間に、前記膜に面して椅子に着座するように、患者が入る。医師は、前記診療空間外から前記膜を隔てて、該膜の下端下方より、この患者に診療を施す。この膜に付された目印の高さ位置が前記患者の口元の高さ位置と比較され、後者が前者よりも高い位置にあるように、両者の相対的な高さ位置が設定される。患者の口元の高さ位置は患者の体格によって相違し、この相違に対応した設定のために、例えば患者の前記椅子の座面の高さ位置を調整し、あるいは前記膜の下端の高さ位置を調整することができる。
【００１１】
いずれの調整によっても、陰圧が作用する診療空間内に座した患者と、この患者に診療を施す前記診療空間外の医師との間には、前記膜が存在し、該膜の下端は、患者の口元の高さよりも、前記所定の長さ分、下方に存在することとなる。そのため、患者が医師に正対した状態でたとえ咳をしても、その飛沫の医師への直射は前記膜によって防止される。また、患者が前記膜の下端へ向けてたとえ咳をしても、前記診療空間内の陰圧によって、前記下端へ向けて進む咳の飛沫が前記膜の下端を経て前記診療空間外すなわち医師の口元に到達することを防止される。したがって、比較的単純な構成によって、感染した又は感染が疑われる患者から医師を確実に保護することができる。
【００１２】
前記した所定の間隔は、約１０ｃｍとすることが最も好ましい。すなわち、患者の口元の高さ位置から約１０ｃｍ以上隔てた下方に前記膜の下端を位置させることにより、容易に、感染した又は感染が疑われる患者から医師をより確実に保護することができる。
【００１３】
このことから、前記膜の下端である下縁から約１０ｃｍの単一の高さ位置に前記目印を設けることができ、この場合、前記膜に付された前記目印と患者の口元との高さに比較から、前記膜をその上縁から巻き上げ又は巻き下げることにより、該膜の下縁の高さ位置が調整可能とされる。
【００１４】
この膜の下縁の高さ位置の調整のために、前記膜を巻取装置を介して巻き上げ及び巻き下げ可能に懸架することができる。この巻取装置の操作によって、前記目印が患者の口元よりも下に位置しかつ該口元の高さから約１０ｃｍの高さ位置に前記膜の下縁が位置するように調整することができるので、診察に十分な間隙を前記膜の下縁に確保することができかつ感染した又は感染が疑われる患者から医師をより確実に保護することができる。
【００１５】
これに代えて、前記膜に、該膜の下縁から間隔を置いて少なくとも２以上の異なる高さ位置に前記目印を付すことができる。この場合、前記膜には、その下縁から巻き上げ又は巻き下げられた状態を保持する手段が設けられる。前記保持手段が設けられた例では、患者の口元の高さ位置よりも下方に位置しかつ該口元の高さ位置に最も近くに位置する目印よりも少なくとも１０ｃｍ下方に前記膜の巻き上げ下端が位置するように、前記膜はその下縁から巻き上げ又は巻き下げられる。この巻き上げ又は巻き下げ状態で、前記膜は前記保持手段により保持されることから、前記膜の下端となる巻き上げ又は巻き下げ下端は、患者の口元の高さ位置よりも所定の間隔を置いて下方に位置するように保持される。したがって、この例でも、診察に十分な間隙を前記膜の下端に確保することができかつ感染した又は感染が疑われる患者から医師をより確実に保護することができる。
【００１６】
前記保持手段は、前記膜に設けられる面ファスナを採用することができる。前記面ファスナは前記膜の一方の面に該膜の下縁から上方へ向けて帯状に設けられ、フック部が設けられた第１の係合面と、前記膜の他方の面に前記第１の係合面に対応して設けられ前記フック部に解除可能に係合するループ部が設けられた第２の係合面とを備える。
【００１７】
前記膜の下端位置を調整可能する前記した例に代えて、前記患者の椅子の座面高さを調整可能とすることができる。この場合、前記膜は自重で自由懸架状態に保持される。この膜には、該膜の下縁から所定の間隔を置いて単一の高さ位置に前記目印が付される。前記椅子の座面は、これに着座する患者の口元の高さ位置が前記目印よりも上方に位置するように、高さを調整される。
【００１８】
前記膜は、診療の妨げとならないように、可撓性を有する透明な合成樹脂シートで構成することが望ましい。
【００１９】
前記目印は、患者の口元位置の高さ位置との比較を容易とする上で、前記膜の幅方向に沿って伸長する基準線とすることが望ましい。
【００２０】
前記膜の下端直下でブース内に向かう気流速度について、下端と直交する水平速度成分を３０ｃｍ／秒以上に設定することが望ましい。なぜなら、一般の病室内に存在する気流速度は０ｃｍ／秒から２０ｃｍ／秒の範囲にあり、その方向も様々である。この環境下では、後述するように、前記膜の下端直下でブース内に向かう気流速度の前記水平速度成分が３０ｃｍ／秒以上となるように、前記ファン装置の送風能力、又は送風能力及び前記診療ブースの出入り口の開口面積を設定することにより、該ファン装置の作動による診療ブース内での風向きと環境気流の向きとの関係の如何に拘わらず、感染した又は感染が疑われる患者から排出される浮遊菌や浮遊ウイルスを含む微粒子が、前記膜の下端と前記床との間から気流に伴なわれて医師に向かうことを一層確実に防止することができるからである。
【００２１】
前記ファン装置は、ＨＥＰＡフィルタを有し、前記診療空間に陰圧を作用させるべく該ＨＥＰＡフィルタを通して、前記診療空間内の空気を吸引することが望ましい。
【発明の効果】
【００２２】
本発明によれば、椅子に着座した患者と医師との間に介在する膜には、目印が付され、該目印と、着座した患者の口元との高さ位置の比較によって、例えば患者の咳に含まれる飛沫が医師に向かうことを防止できる高さ位置に、前記膜の下端と患者の口元との相対的な高さ位置を容易に調整することができる。したがって、比較的単純な構成によって、感染した又は感染が疑われる患者から医師を確実に保護することができる。
【図面の簡単な説明】
【００２３】
【図１】本発明に係る診療ブースを概略的に示す斜視図であり、
【図２】図１に示した診療ブースの使用例を示す概略図であり、膜の作用効果を説明する説明図であり、
【図３】本発明に係る診療ブースの膜の作用効果を説明する説明図であり、
【図４】本発明に係る診療ブースの膜の下端の設定方法を説明する説明図であり、
【図５】図１に示した膜の他の例を示す概略図であり、（ａ）は正面図を示し、（ｂ）は側面図を示し、
【図６】図５に示した膜の巻き上げ状態を示す正面図であり、
【図７】本発明に係る診療ブースの他の例を示す図１と同様な図面である。
【発明を実施するための形態】
【００２４】
本発明に係る診療ブース１０は、図１に示されているように、奥行き（Ｌ）、幅（Ｗ）、高さ（Ｈ）を有する全体に矩形のフレーム１２と、この矩形フレーム１２を覆うビニールのような透明な樹脂膜からなる包囲体１４とを備える。この包囲体１４には、帯電防止処理を施すことが望ましい。包囲体１４は、例えば高さ寸法Ｈが約２００ｃｍ、幅寸法Ｗが約１００ｃｍ、奥行き寸法Ｌが１２０ｃｍに設定することができる。
【００２５】
診療ブース１０は、図２に示すように、例えば病院の室１６内の床１８上に設置される。図示の例では、天井空間１６ａには空調機２０が設置されている。空調機２０は、室天井の吸引口１６ｂを経て室内空気を吸引し、浄化しまた適正温度および湿度に調整した後、部屋天井の吹出口１６ｃを経て室１６内に供給する。この空気循環により、室１６内は快適に維持される。
【００２６】
再び図１を参照するに、包囲体１４は、矩形フレーム１２で構成される枠体の天井を覆う長方形の天井部１４ａと、該天井部の一対の長辺に沿って形成された一対の側壁部１４ｂ及び１４ｂと、天井部１４ａの一方の短辺に沿って形成された端壁部１４ｃとを備える。これら一対の側壁部１４ｂ及び１４ｂ及び端壁部１４ｃは、包囲体１４の周壁の少なくとも一部を構成する。
【００２７】
前記診療ブース１０の一端を構成する端壁部１４ｃに対向する部分（１４ｄ）は開放されている。これにより、縦長の診療ブース１０の他端は、患者２２（図２参照）の出入りのための開口部１４ｄで、室１６内に開放する。この例に代えて、診療ブース１０を横長とすべく該診療ブースの開口部（１４ｄ）を一方の前記長辺に沿って形成することができる。
【００２８】
診療ブース１０の端壁部１４ｃには、ブース内２４の空気を吸引し、該ブース内を陰圧に保持するためのファン装置２６が設置されている。ファン装置２６は端壁部１４ｃの下部に開放する吸引口２６ａと、該吸引口を経て吸引した空気を浄化するための、例えばＨＥＰＡフィルタ２６ｂとを備え、該ＨＥＰＡフィルタを経て浄化された空気は、ファン装置２６の背面より室１６内に放出される。
【００２９】
図１に示す例では、包囲体１４の一対の側壁部１４ｂ、１４ｂ及び端壁部１４ｃの各下縁と床１８との間には、ブース内２４すなわち包囲体１４内の床隅の埃だまりを解消する上で、１０ｃｍ以下（好ましくは約５ｃｍ）の隙間ｔが設定されている。この隙間ｔを不要とすることができる。
【００３０】
また、包囲体１４の開口部１４ｄには、該開口部を開閉するための可撓性を有する膜２８が設置されている。膜２８は、図１に示す例では、包囲体１４の天井部１４ａに設けられた巻取装置３０により、巻取可能に保持されている。膜２８は、包囲体１４と同様な材料である透明なビニールで構成することができる。巻取装置３０の操作桿３０ａの例えば回転操作によって、膜２８を巻き取りあるいは引き出すことが可能であり、この操作桿３０ａの操作によって、膜２８の下端となる下縁２８ａを昇降させることができる。また、膜２８として、ポリエチレンフィルムのような薄膜や透明又は半透明の難燃性シートを採用することができる。
【００３１】
図示の例では、膜２８は、操作桿３０ａの操作によって、巻取装置３０内に下縁２８ａを除いて、完全に収容することができる。これにより後述する例えば患者２２のブース内２４への出入りに時に、開口部１４ｄを全開状態におくことができる。また、操作桿３０ａの操作によって、膜２８の下縁２８ａを床１８に接触させ、これにより開口部１４ｄを全閉状態におくことができる。
【００３２】
膜２８には、その下縁２８ａから例えば１０ｃｍの所定間隔を置く高さ位置を表示するための目印３２が設けられている。図１に示す例では、目印３２は、膜２８をその幅方向に横切る例えば黒色の全線からなる直線で構成されている。この直線３２に代えて、破線を用いることができる。また、これらに代えて、膜２８の幅方向に間隔を置いて例えば三角マークのような目印を等間隔で配置し、あるいは膜２８の幅方向に一対の所望のマークを付すことができる。
【００３３】
本発明に係る診療ブース１０は、例えば図２に示すような室１６内に設置される。一般的には、患者２２が診療ブース１０内に入るまで、医師３６は例えば診療ブース横のカルテ室（図示せず）に待機している。患者２２が診療ブース１０に入った後、医師３６は、後述するように椅子３８に座って、膜２８で隔てられた患者２２の正面に位置する。仮に、患者２２が診療ブース１０に入る直前で咳やくしゃみをしても、前記室内の気流方向が診療ブース１０外から該診療ブース内２４に向かう方向であることから、この患者２２の咳やくしゃみに含まれるウイルス類が室１６内に飛散することはない。
【００３４】
この診療ブース１０は、ブース内２４内に患者２２が膜２８に面するように椅子３４に着座して収容され、医師３６は診療ブース１０外で膜２８に面するように椅子３８に着座して、使用される。このとき、患者２２は、膜２８による圧迫感を感じない範囲で、膜２８に近い位置例えば膜２８に約３０ｃｍ以下の間隔を置くように、椅子３４に座る。その結果、医師３６は、膜２８を介して患者２２に向き合い、膜２８の下縁２８ａ下から、あるいは図示のとおり下縁２８ａを部分的にたくし上げて、診察あるいは治療のような診療を行うことができる。したがって、ブース内２４は患者２２を収容する患者のための診療空間となる。
【００３５】
診療に先立ち、例えば医師３６は、巻取装置３０の操作桿３０ａを操作して膜２８に付された目印３２（図１参照）が椅子３４に着座した患者２２の口元２２ａ（図３参照）よりも下方に位置し、かつ診療の妨げにならない高さ位置となるように、巻取装置３０から膜２８の下端となる下縁２８ａまでの長さを調整する。
【００３６】
この調整により、医師３６は、該医師と患者２２との間に、該患者の口元から少なくとも１０ｃｍよりも下方に下縁２８ａが位置する膜２８を介在させた状態で、診療を行うことができる。
【００３７】
したがって、この診療中に、椅子３４に着座した患者２２が、その顔をほぼ水平に保持した状態で、正面の医師３６の顔に向けて例えば咳をしたとしても、図３に示すように、患者２２の口元２２ａの高さ位置よりも１０ｃｍを超える下方に膜２８の下縁２８ａが位置することから、その飛沫４０ａは膜２８によって遮断される。その結果、飛沫４０ａは、膜２８により、医師３６の口元３６ａに向かうことを確実に阻止される。
【００３８】
また患者２２が、その顔を下方に向けて膜２８の下縁２８ａへ向けて咳をしたとしても、下縁２８ａの近傍に達した飛沫４０ｂは、ファン装置２６の作動によってブース内２４に作用する陰圧により、該ブース内を吸引口２６ａに向けて引き戻される。その結果、患者２２から例えば咳に伴って放出される浮遊菌や浮遊ウイルスから医師３６を確実に保護することが可能となる。
【００３９】
膜２８の下端２８ａの設定方法の一例を図４に沿って説明する。患者２２の口元２２ａと垂直な膜２８との距離が例えば２０ｃｍをおくように、患者２２が椅子３４に座っていると仮定する。この場合、例えば医者３６が膜２８の下縁２８ａを手で持って仮想線で示すように、その下縁２８ａを患者２２に近接するように膜２８を傾斜させ、この傾斜状態で、膜２８の下縁２８ａより１０ｃｍ上方に位置する目印３２が患者２２の口元２２ａの高さに位置するように、膜２８の長さを調整する。
【００４０】
このとき、例えば膜２８の下縁２８ａまでの長さが１ｍであったとすると、傾斜させた膜２８と垂直線との角度は１２．８度になる。この状態で膜２８を実線で示されるような垂直状態に戻すと、下縁２８ａは患者２２の口元２２ａの高さに位置よりも約１２．２ｃｍ下方に位置することとなる。したがって、膜２８の下縁２８ａは、患者２２の口元２２ａの高さ位置からの安全な所望長さ（１０ｃｍ）よりもさらに安全側に約２．２ｃｍ延長した結果となる。このわずかな延長分によって医療行為が妨げられることはない。
【００４１】
ブース内２４内の陰圧について、所望の陰圧を確保する上で膜２８の下縁２８ａを通る気流４２の、膜２８の垂下方向と直交する水平速度成分が３０ｃｍ／秒以上を確保できることが望ましい。すなわち、一般の病室で、空調機２０の作動によって室１６内に存在する気流の速度は０ｃｍ／秒〜２０ｃｍ／秒であり、その方向も様々であると考えられる。したがって、診療ブース１０の向き、すなわち風４２の向きの如何に拘わらず、患者２２から放出されて失速した飛沫４０（４０ａ、４０ｂ）のブース外への発散を防止し、この飛沫４０に含まれる細菌やウイルスの浮遊微粒子をファン装置２６のＨＥＰＡフィルタ２６ｂで確実に捕獲する上で、膜２８の下縁２８ａ直下の空気速度について、下縁２８ａと直交してブース内２４に向かう水平速度成分が２０ｃｍ／秒を十分に超える値とすることが望ましい。
【００４２】
また、膜２８の下縁２８ａと室１６の床１８との間隙は、患者２２の体格あるいは座高に応じて変化するが、日本人の平均体格から、６０ｃｍの範囲で増減すると考えられる。したがって、平均座高およびその偏差を考慮すると、診療時における膜２８の下縁２８ａの設定高さ位置は、１ｍを着座位置の平均高さとすると、室１６の床１８上から１ｍを基準として、±３０ｃｍの最大範囲で増減する。
【００４３】
これらの状況下では、膜２８の下縁２８ａを床１８からの基準値である１ｍに保持した状態で、ファン装置２６が、その作動によって下縁２８ａ直下の空気速度について、下縁２８ａと直交してブース内２４に向かう水平速度成分を３０ｃｍ／秒以上に確保できる送風能力を発揮できれば、膜２８の下縁２８ａが±３０ｃｍの最大範囲で増減しても、ブース内２４内の陰圧が実質的に保持できる。したがって、前記したように膜２８の下縁２８ａを床１８から１ｍの間隔を置く状態に配置し、下縁２８ａ直下の空気速度について、下縁２８ａと直交してブース内２４に向かう水平速度成分を３０ｃｍ／秒以上に保持できるファン装置２６を用いることにより、膜２８の下縁２８ａの前記した高さ調整に拘わらず、ブース内２４に適正な陰圧を確実に保持できる。
【００４４】
もちろん、ファン装置２６の送風量を膜２８の下縁２８ａの高さ位置に応じて可変とすることができる。ファン装置２６の設計能力を膜２８の下縁２８ａが床上１．３ｍの高さにあるときのブース開口面積を基準に選定しておいてもよい。また、これに代えて、図示しないが、ブース内２４あるいは該ブース外の医師３６の足下に、ブース内２４に向けての空気流を生成する扇風機のような補助送風装置を配置することができる。すなわち、ファン装置２６について、床上１ｍの高さを下縁２８ａの位置とすることを基準に設計能力を設定し、それよりも上に膜２８の下縁２８ａが位置したとき、補助空調装置（図示せず）を作動させることができる。
【００４５】
また、患者２２は、空気４２の流れに対する抵抗の低減のために、その上半身が空気流を横切る方向からわずかな角度をなすように、斜めに座ることができる。
【００４６】
前記したところでは、膜２８のための巻取装置３０を設けた例を示したが、巻取装置３０を設けることなく、膜２８を包囲体１４の天井部１４ａから自由状態で床１８へ向けて垂らすことができる。この場合、膜２８の下縁２８ａは、床１８から７０ｃｍの高さ位置に在ることが望ましい。また、膜２８には、図５（ａ）及び（ｂ）に示すように、複数の目印３２として、下縁２８ａから所定の間隔（例えば１０ｃｍ）をおいて三本の線３２ａ〜３２ｃが付されている。
【００４７】
さらに、膜２８の表裏の両面２８ｂ及び２８ｃ（図５（ｂ）参照）には、面ファスナ４４の第１及び第２の係合面４４ａ、４４ｂが帯状に形成されている。一方の面２８ｂには、図５（ａ）に示すように、その両側縁に沿って、膜２８の上縁から下縁２８ａに、一対の帯状の第１の係合面４４ａ、４４ａが形成されている。また、膜２８の他方の面２８ｃには、一対の帯状の第１の係合面４４ａ、４４ａに対応して一対の帯状の第２の係合面４４ｂ、４４ｂが形成されている。
【００４８】
第１の係合面４４ａには、従来よく知られているように、例えばフック部及びループ部の一方が密集して形成されており、第２の係合面４４ｂには、前記フック部及びループ部の他方が密集して形成されている。前記フック部は、よく知られているように鈎形あるいはマッシュルーム形を呈し、前記ループ部に解除可能に係合する。
【００４９】
面ファスナ４４が設けられた膜２８によれば、図６に示すとおり、膜２８がその下縁２８ａから順次人手により巻き上げられる。この巻き上げ時、膜２８を折り畳み又は丸めて該膜の表面及び裏面のいずれか一方をその他方に対向させて押し付け、膜２８の表裏に設けられた第１の係合面４４ａ及び該係合面に対応する第２の係合面４４ｂを相互に押し付けながら巻き上げることにより、巻き上げ状態を保持することができる。膜２８の下縁２８ａの調整のために該膜の巻き下げる場合も同様である。
【００５０】
図６に示した膜２８では、例えば図５で最上位に位置する線３２ｃに近接して該線の上方に患者２２の口元が位置する場合を仮定する。この場合、図６に示すように、膜２８は線３２ｃの直下に位置する線３２ｂが膜２８の下端に位置するように、下縁２８ａから巻き上げられ、保持手段である面ファスナ４４により、その巻き上げ状態が保持される。これにより、膜２８の下端となる巻き上げ下端（３２ｂ）は、患者２２の口元２２ａの高さ位置よりも所定の間隔を置いて下方に位置するように保持される。したがって、図１ないし図４に示した例におけると同様に、ブース内２４内の感染した又は感染が疑われる患者（２２）から医師３６を確実に保護することができる。また、前記した患者よりも身長の低い患者２２が椅子２２に座り、その口元２２ａの高さ位置が例えば線３２ｂの直上にあるとき、膜２８は、線３２ａが膜２８の下端に位置するように、巻き上げられる。このように、複数の線３２（３２ａ〜３２ｃ）は患者２２の身長に応じて使い分けられる。
【００５１】
面ファスナ４４は、前記した下縁２８ａの巻き上げに必要な領域にのみ形成することができる。しかし、面ファスナ４４を膜２８の前記高さ領域に形成するれば、開口部１４ｄをほぼ全開状態に保持可能となるので、包囲体１４内への患者２２の出入りおよびブース内２４の清掃の点で有利である。
【００５２】
前記した例では、いずれも患者２２と医師３６との間に介在する膜２８の床１８へ向けての長さを調整する例について説明した。膜２８の長さの調整に代えて、下縁２８ａよりも所定の間隔をおいて膜２８に付された目印３２を基準に、椅子３４に着座した患者２２の口元２２ａが上方に位置するように、患者２２用の椅子３４の座面３４ａ（図２参照）が高さ調整可能である場合、この座面３４ａを調整することができる。
【００５３】
さらに、前記したところでは、ファン装置２６の吸引口２６ａを包囲体１４の端壁部１４ｃに設けた例について説明したが、図７に示すように、包囲体１４の天井部１４ａに、ＨＥＰＡフィルタ２６ｂ及び前記したと同様な機能を果たす吸引口（２６ａ）を設けることができる。この場合、膜２８の下端となる下縁２８ａからブース内２４内に水平方向に吸引された空気４２は、ブース内２４内で天井部１４ａの前記吸引口へ向けて上昇するが、このブース内２４での空気流の変更は、ブース内２４の陰圧保持に実質的な影響を及ぼすことはない。
【００５４】
本発明は、上記実施例に限定されず、その趣旨を逸脱しない限り、種々に変更することができる。例えば、包囲体の膜を除く天井部、側壁部及び端壁部を合成樹脂板のような板材で構成することができる。また、前記膜の下縁と目印との間の所定の間隔あるいは複数の目印間の間隔として、段落００４２で約１０ｃｍの例を示したが、この所定の間隔を例えば５ｃｍとすることができる。この場合には、図１に示したような巻取装置が設けられる例では、前記膜の下縁は、患者の口元の高さ位置から下方に２つの目印（５ｃｍ×２）が位置するように、その長さが調整される。
【００５５】
患者の口元の高さと比較する前記目印の基準位置として、患者の口元よりも低い位置を選択することができ、医師が患者の口元位置と認める位置を基準位置とすることができる。また、患者の口元にレーザポインタを設置し、該レーザポインタからレーザ光を前記膜に照射することによって該膜上に目印を投影することができる。
【産業上の利用可能性】
【００５６】
本発明に係る診療ブースは、歯科診療の他、種々の医療機関や介護福祉施設等に、診療のために設置することができる。
【符号の説明】
【００５７】
１０  診療ブース
１４  包囲体
１４ａ  包囲体の天井部
１４ｂ  包囲体の側壁部（周壁部）
１４ｃ  包囲体の端壁部（周壁部）
１４ｄ  包囲体の開口部
１６  室
１８  室の床
２２  患者
２２ａ  患者の口元
２４  ブース内（診療空間）
２６  ファン装置
２６ｂ  ファン装置のフィルタ
２８  膜
２８ａ  膜の下縁
３０  巻取装置
３２  目印（線）
３６  医師
４４  面ファスナ
４４ａ、４４ｂ  面ファスナの係合面
【図１】
2010252965.tif 000003
【図２】
2010252965.tif 000004
【図３】
2010252965.tif 000005
【図４】
2010252965.tif 000006
【図５】
2010252965.tif 000007
【図６】
2010252965.tif 000008
【図７】
2010252965.tif 000009
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
天井部及び周壁部を有し、前記周壁部に出入り口が設けられまた該出入り口を開閉可能に閉じる透明又は半透明の膜が前記天井部から懸架して設けられ、患者用の椅子が配置される診療空間を室内に区画する包囲体と、前記診療空間を陰圧に保持するためのファン装置とを含み、
前記膜に面して前記椅子に着座した患者が前記診療空間外の医師から前記膜を隔てて診療を受けることを可能とすべく、前記膜の下端は前記室の床から間隔をおき、前記膜には、前記下端から前記天井部の方向へ少なくとも所定の間隔をおく高さ位置に目印が付されており、前記目印は、前記空間内で前記膜へ向けて前記椅子に座った患者の口元の高さ位置との比較に使用される、診療ブース。
【請求項２】
前記所定の間隔は、１０ｃｍである、請求項１に記載の診療ブース。
【請求項３】
前記目印は、前記膜の前記下端となる下縁から約１０ｃｍの単一の高さ位置に設けられ、前記膜は、その下縁の高さ位置が調整可能であり、巻取装置を介して巻き上げ及び巻き下げ可能に懸架されている、請求項２に記載の診療ブース。
【請求項４】
前記膜には、該膜の下縁から間隔を置いて少なくとも２以上の異なる高さ位置に前記目印が付されており、前記膜にはその下縁から所定の巻き上げ量で巻き上げ又は巻き下げ状態を保持する手段が設けられている、請求項２に記載の診療ブース。
【請求項５】
前記保持手段は、前記膜に設けられる面ファスナであり、該面ファスナは前記膜の一方の面に該膜の下縁から上方へ向けて帯状に設けられ、フック部が設けられた第１の係合面と、前記膜の他方の面に前記第１の係合面に対応して設けられ前記フック部に解除可能に係合するループ部が設けられた第２の係合面とを備える、請求項４に記載の診療ブース。
【請求項６】
前記膜は自重で自由懸架状態に保持されており、該膜の前記下端から前記所定の間隔を置いて単一の高さ位置に前記目印が付されており、前記椅子はその座面が高さ調整可能である、請求項１に記載の診療ブース。
【請求項７】
前記目印は前記膜の幅方向に沿って伸長する基準線である、請求項３から６のいずれか一項に記載の診療ブース。
【請求項８】
前記膜の下端直下の空気速度について、前記下端と直交し前記ブース内に向かう水平速度成分が３０ｃｍ／秒以上に設定されている、請求項２に記載の診療ブース。
【請求項９】
前記ファン装置は、ＨＥＰＡフィルタを有し、前記診療空間に陰圧を作用させるべく該ＨＥＰＡフィルタを通して、前記診療空間内の空気を吸引する請求項２に記載の診療ブース。
【手続補正２】
【補正対象書類名】明細書
【補正対象項目名】０００９
【補正方法】変更
【補正の内容】
【０００９】
本発明に係る診療ブースは、天井部及び周壁部を有し、前記周壁部に出入り口が設けられまた該出入り口を開閉可能に閉じる透明又は半透明の膜が前記天井部から懸架して設けられ、患者用の椅子が配置される診療空間を室内に区画する包囲体と、前記診療空間を陰圧に保持するためのファン装置とを含み、前記膜には、その下端から前記天井部の方向へ少なくとも所定の間隔をおく高さ位置に目印が付されていることを特徴とする。